(57)【要約】【課題】スライド自在に設けられた内篭と外篭とからなる水切り篭により、水切り篭の前後方向を簡単にスライドして収納幅の調整ができ、しかもこの水切り篭の係止具により横方向にスライドレールを介して移動可能となり、さらにシンク上に簡単に水切り篭を載置することができ、折り曲げ自在な帯体により水切り篭を縦状載置も可能としたキッチンシンク用水切り篭及びその取付構造を提供するものである。【解決手段】スライド自在に設けられた内篭１と外篭２とからなる水切り篭３の該内篭１又は外篭２を引き出した状態で略シンク４の幅に設定され、該水切り篭３の外篭２の一端に、折り曲げ自在な帯体５を固着するとともに該帯体５の先端にスライドレール６に係止する係止具７を設けものである。【選択図】        図１
2004194826.tif 000002
【特許請求の範囲】
【請求項１】
スライド自在に設けられた内篭と外篭とからなる水切り篭の該内篭又は外篭を引き出した状態で略キッチンシンク幅に設定され、該水切り篭の外篭の一端に、折り曲げ自在な帯体を固着するとともに該帯体の先端にスライドレールに係止する係止具を固着したことを特徴とするキッチンシンク用水切り篭。
【請求項２】
上記キッチンシンク用水切り篭が線材や網体で形成され、内篭を外篭内に収納した状態で立設する脚部を設けたことを特徴とする請求項１記載のキッチンシンク用水切り篭。
【請求項３】
上記帯体が防水性を有する軟質材で形成されたことを特徴とする請求項１又は請求項２記載のキッチンシンク用水切り篭。
【請求項４】
上記キッチンシンク用水切り篭の引き出し側となる内篭又は外篭の外方に下方から水平方向に９０度回動する把手を設けたことを特徴とする請求項１乃至請求項３のいずれか１項に記載のキッチンシンク用水切り篭。
【請求項５】
壁面近傍にシンクを有するキッチン台を配設し、該キッチン台のシンク上面より上方に位置する横方向にスライドレールを固着し、該スライドレールの係止溝に請求項１記載のキッチンシンク用水切り篭の係止具をスライド自在に係止し、該キッチンシンク用水切り篭の不使用時にはテーブル上に外篭内に内篭を収納した状態で折り曲げ自在な帯体を介して立設可能とし、使用時には内篭又は外篭を引き出した状態でシンクの縁部に設けられた一段下がった段部に載置することを特徴とするキッチンシンク用水切り篭の取付構造。
【発明の詳細な説明】
【０００１】
【発明の属する技術分野】
本発明は、システムキッチンや洗面化粧台等に取付けられる水切り篭が前後方向にスライド自在に設けられた内篭と外篭とからなる水切り篭と該水切り篭をシンク上で水平移動可能としたキッチンシンク用水切り篭及びその取付構造に関するものである。
【０００２】
【従来の技術】
従来から図１２に示したように、システムキッチン等のシンク３０の周縁に載置できる脚部３１を備え、対向間隔を調整できる載せ杆３２を開口部３３の上に架設したシンク用載置台３４と、載置台３４のベース開口部分の載せ杆３２の対向間隔を狭くした際に、同載せ杆３２の上に載置可能で、且つ対向間隔を広くした際に、ベース開口部内に収納される篭部３５を備えるとともに、ベース開口部内に篭部３５を収納した際に載せ杆３２上に載置できる張り出し形状の係止部３６を備えた水切り篭３７とで構成したものがある。（例えば、特許文献１参照）さらに、図１３には、カウンター３８の後端縁部にバックガード３９が立設され、このバックガード３９に水平レール４０を設け、この水平レール４０に調理プレート４１の後端に設けたローラー状の走行部４２をスライド自在に係合させたものがある。（例えば、特許文献２参照）
【０００３】
【特許文献１】
特開２０００−２６５５１６号公報（第１−３頁、図１〜図５）
【０００４】
【特許文献２】
特開平１１−１６９２４３号公報（第１−３頁、図１〜図７）
【０００５】
このように、特許文献１のものでは、対向間隔を調整できる載せ杆３２をスライド自在に載置し、この載せ杆３２上に水切り篭３７を載置するようにしているので、この水切り篭３７を不使用時に載せ杆３２からこの水切り篭３７を取外して、この水切り篭３７をテーブル上に置くのが通常であり、この水切り篭３７の長さは、シンク３０の幅に設計してあるので、場所を取り邪魔になるものであった。さらに、載せ杆３２をテーブル上に置いたままにするとシンク３０の横幅が狭くなり作業性が悪いという問題があった。また、特許文献２のものでは、調理プレート４１をシンク上にスライドさせることにより移動できるものであるが、移動時と同じ状態でテーブル上に位置しているので不使用時に邪魔になるものであった。
【０００６】
【発明が解決しようとする課題】
本発明は上記問題点の解決を目的とするものであり、スライド自在に設けられた内篭と外篭とからなる水切り篭により、水切り篭の前後方向を簡単にスライドして収納幅の調整ができ、しかもこの水切り篭の係止具により横方向にスライドレールを介して移動可能となり、さらにシンク上に簡単に水切り篭を載置することができ、また折り曲げ自在な帯体により水切り篭をテーブル上に縦状載置も可能としたキッチンシンク用水切り篭及びその取付構造を提供するものである。
【０００７】
【課題を解決するための手段】
本発明の請求項１記載のキッチンシンク用水切り篭は、スライド自在に設けられた内篭と外篭とからなる水切り篭の該内篭又は外篭を引き出した状態で略キッチンシンク幅に設定され、該水切り篭の外篭の一端に、折り曲げ自在な帯体を固着するとともに該帯体の先端にスライドレールに係止する係止具を固着したことを特徴とする。
【０００８】
したがって、スライド自在に設けられた内篭と外篭とからなる水切り篭により、水切り篭の前後方向を簡単にスライドして収納幅の調整ができ、しかもこの水切り篭の係止具により横方向にスライドレールを介して移動可能となり、さらにシンク上に簡単に水切り篭を載置することができ、さらに折り曲げ自在な柔軟性を有する帯体によりテーブル上に水切り篭を縦状載置可能としたものである。
【０００９】
本発明の請求項２記載のキッチンシンク用水切り篭は、請求項１記載のキッチンシンク用水切り篭が線材や網体で形成され、内篭を外篭内に収納した状態で立設する脚部を設けたことを特徴とするものである。
【００１０】
したがって、水切り篭が線材や網体で形成されているので、軽量化が図れ水切り状態が良く、しかも外篭に設けた脚部により縦横に水切り篭を立設することができ省スペースが可能となり、脚部の隙間より水切りが良好となる。
【００１１】
本発明の請求項３記載のキッチンシンク用水切り篭は、請求項１又は請求項２記載の帯体が防水性を有する軟質材で形成されたものである。
【００１２】
したがって、帯体の柔軟性により、キッチンシンク用水切り篭が縦横に立設することができ省スペースで収納が可能となる。
【００１３】
本発明の請求項４記載のキッチンシンク用水切り篭は、請求項１乃至請求項３のいずれか１項に記載されたキッチンシンク用水切り篭の引き出し側となる内篭又は外篭の外方に下方から水平方向に９０度回動する把手を設けたことを特徴とするものである。
【００１４】
したがって、９０度しか把手が回動しないので、水切り篭の持ち上げ移動が簡便である。しかもこの把手部分をシンクの凸段部に挿着することで左右に移動することもないので食器等の水洗作業が簡便となる。
【００１５】
本発明の請求項５記載のキッチンシンク用水切り篭の取付構造は、壁面近傍にシンクを有するキッチン台を配設し、該キッチン台のシンク上面より上方に位置する横方向にスライドレールを固着し、該スライドレールの係止溝に請求項１記載のキッチンシンク用水切り篭の係止具をスライド自在に係止し、該キッチンシンク用水切り篭の不使用時にはテーブル上に外篭内に内篭を収納した状態で折り曲げ自在な帯体を介して立設可能とし、使用時には内篭又は外篭を引き出した状態でシンクの縁部に設けられた一段下がった段部に載置することを特徴とするものである。
【００１６】
したがって、キッチンシンク上でスライドレールの係止溝をキッチンシンク用水切り篭の係止具をスライドさせて水平方向の位置決めを行い、その後、キッチンシンク用水切り篭の内篭又は外篭を前方に引き出し、シンクの縁部に設けられた一段下がった段部に載置するようにしているので、キッチンシンク用水切り篭の取付け及び取外しが簡単且つ確実にできる。
【００１７】
【発明の実施の形態】
図１乃至図５に示したように、本発明の実施形態に係わるキッチンシンク用水切り篭を説明し、図６乃至図１１に、キッチンシンク用水切り篭の取付構造を示したもので、以下に説明する。
【００１８】
図１乃至図５において、本発明のキッチンシンク用水切り篭Ａは、スライド自在に設けられた内篭１と外篭２とからなる水切り篭３のこの内篭１又は外篭２を引き出した状態で略シンク４の幅に設定され、この水切り篭３の外篭２の一端に、折り曲げ自在な帯体５を固着するとともにこの帯体５の先端にスライドレール６に係止する係止具７を設けたものである。
【００１９】
このキッチンシンク用水切り篭Ａは、線材や網体で形成され、内篭１を外篭２の中に収納した状態で立設する脚部８を設けることで、軽量化が図れ水切り状態が良く、しかも外篭２に設けた脚部８により縦横に水切り篭３を立設することができ省スペースが可能となる。
【００２０】
また、帯体５は防水性を有する軟質材で長めに形成することで、水切り篭３を縦横に立設することができ、水切り篭３を省スペースで収納が可能となる。
【００２１】
さらに、キッチンシンク用水切り篭Ａの引き出し側となる内篭１又は外篭２の外方に下方から水平方向に９０度回動する把手９を設けることで、水切り篭の持ち上げ移動が簡便であり、しかもこの把手部分をシンクの凸段部に挿着することで左右に移動することもないので食器等の水洗作業が簡便となる。
【００２２】
図６乃至図１１において、キッチンシンク用水切り篭Ａの取付構造は、壁面１０の近傍にシンク４を有するキッチン台１１を配設し、このキッチン台１１のシンク４の上面より上方に位置する横方向にスライドレール６を固着し、該スライドレール６の係止溝１２に前述したキッチンシンク用水切り篭Ａのフック状をした係止具７をスライド自在に係止し、このキッチンシンク用水切り篭Ａの不使用時にはテーブル１３の上に外篭２内に内篭１を収納した状態で折り曲げ自在な帯体５を介して立設可能とし、使用時には内篭１又は外篭２を引き出した状態でシンク４の縁部に設けられた一段下がった段部１４に載置するものである。
【００２３】
このようにすることで、シンク４の上でスライドレール６の係止溝１２をキッチンシンク用水切り篭Ａの係止具７をスライドさせて水平方向の位置決めを行い、その後、キッチンシンク用水切り篭Ａの内篭１又は外篭２を前方に引き出し、シンク４の縁部に設けられた一段下がった段部１４に把手９を載置するようにしている。
【００２４】
以下、本発明の実施例に係わるキッチンシンク用水切り篭Ａについて、図１乃至図５に基づいて詳述する。
【００２５】
図１において、キッチンシンク用水切り篭Ａは、スライド自在に設けられた上方開放した矩形状をした鉄棒、ステンレス棒、樹脂棒等でできた線材や金属ネットや樹脂ネット等でできた網体で形成され内篭１と外篭２とから水切り篭３とからなるものである。この水切り篭３の内篭１又は外篭２のいずれかを引き出し可能に形成され、この内篭１と外篭２との引き出し状態は、略シンク４の幅に設定されている。この水切り篭３の外篭２の一端に、折り曲げ自在なビニールテープ、ガラス繊維や軟質金属板等の帯体５を固着するとともにこの帯体５の他端に壁面１０やキッチン台１１の壁面１０側の立上り部にスライドレール６を固着し、このスライドレール６の係止溝１２に係止具７を係止するものである。
【００２６】
このキッチンシンク用水切り篭Ａは、線材や網体で形成され、内篭１を外篭２の中に収納した状態で立設する脚部８を設けることで、軽量化が図れ水切り状態が良く、しかも外篭２に設けた脚部８により縦横に水切り篭３を立設することができ省スペースが可能となる。尚、脚部８は、縦横に水切り篭３を立設するできるように十字状に形成しても良い。
【００２７】
図２は水切り篭３の外篭２から内篭１を引き出した状態を示す図であって、内篭１又は外篭２を引き出した状態で略シンク４の幅に設定されている。
【００２８】
図３（ａ）は、外篭２の脚部８に金属製、樹脂製、布製等の紐体１６を固着しておき、（ｂ）のように内篭１を引き出した際に内篭１の線材に倒れないようにくくりつけるものである。
【００２９】
図４及び図５は、内篭１と外篭２との係合状態の異なる実施例であって、外篭２の内部に相対向して逆Ｌ字状をした係止部１７を形成し、この係止部１７に内篭１の上側端面が係止されスライド自在となっている。尚、図１及び図５の内篭１の前面には、下方から水平方向に９０度回動する把手９が取付けられ、この把手９によって、水切り篭３の持ち上げ移動が簡便であり、しかもこの把手９の部分をシンク４の凸段部１４に挿着することで位置決めが容易である。設置後は、左右に移動することもないので食器等の水洗作業が簡便となる。
【００３０】
以下、本発明の図６乃至図１１のキッチンシンク用水切り篭の取付構造を説明する。
【００３１】
キッチンシンク用水切り篭の取付構造は、壁面１０の近傍にシンク４を有するキッチン台１１を配設し、このキッチン台１１のシンク４の上面より上方に位置する横方向にスライドレール６をビスや釘、接着剤等で固着する。尚、このスライドレール６は、キッチン台１１の後方の立上げ部に固着するようにしても良いものである。
【００３２】
そして、このスライドレール６の係止溝１２に前述したキッチンシンク用水切り篭Ａのフック状をした係止具７をスライド自在に係止する。この状態では、キッチンシンク用水切り篭Ａは、テーブル１３の上に載置されている。このキッチンシンク用水切り篭Ａの不使用時には、テーブル１３の上に外篭２内に内篭１を収納した状態で折り曲げ自在な帯体５を介して立設された状態にある。その後、使用時には内篭１又は外篭２を引き出した状態でシンク４の縁部に設けられた一段下がった段部１４に載置するものである。
【００３３】
このとき、内篭１の前面には、下方から水平方向に９０度回動する把手９が取付けられ、この把手９によって、水切り篭３の持ち上げ移動が簡便であり、しかもこの把手９の部分をシンク４の凸段部１４に挿着することで位置決めが容易である。そして、把手９の部分をシンク４の凸段部１４に設置後は、左右に移動することもないので食器等の水洗作業が簡便となる。
【００３４】
このようにすることで、シンク４の上でスライドレール６の係止溝１２をキッチンシンク用水切り篭Ａの係止具７をスライドさせて水平方向の位置決めを行い、その後、キッチンシンク用水切り篭Ａの内篭１又は外篭２を前方に引き出し、シンク４の縁部に設けられた一段下がった段部１４に載置するようにして取付けられるので取付け作業が簡便となる。
【００３５】
図６及び図７は、キッチン台１１の壁面１０側にシンク４の上方に縦断面略コ字状をしたスライドレール６の係止溝１２にキッチンシンク用水切り篭Ａのフック状をした係止具７を係止する状態を示す図である。このとき、係止具７はシンク４の上方を左右にスライドするように遊嵌状態にある。
【００３６】
図８（ａ）、（ｂ）、（ｃ）は、キッチンシンク用水切り篭Ａのフック状をした係止具７の帯体５が水切り篭３の収納状態でどのように撓んでいるかを示す図であり、（ａ）は、シンク４へこのキッチンシンク用水切り篭Ａを取付けた状態で帯体５が緊張した状態で、（ｂ）は、キッチンシンク用水切り篭Ａを壁面１０側に近づけた状態で帯体５が緩んだ状態で、（ｃ）は、（ｂ）よりより壁面１０側に近づけた状態で縦型状に載置するようにしたことを示す図である。
【００３７】
図９（ａ）、（ｂ）、（ｃ）は、キッチンシンク用水切り篭Ａを内篭１又は外篭２の収納状態からシンク４の上に前方に引き出して載置する状態の概略を示す図で以下に示す。
【００３８】
まず、壁面１０の近傍にシンク４を有するキッチン台１１を配設し、このキッチン台１１のシンク４の上面より上方に位置する横方向にスライドレール６をビスや釘、接着剤等で固着する。そして、このスライドレール６の係止溝１２にキッチンシンク用水切り篭Ａのフック状をした係止具７がスライド自在に係止されている。したがって、（ａ）の状態では、テーブル１３の上であって、外篭２の中に内篭１を収納した状態で立設されている。
【００３９】
このとき、折り曲げ自在な帯体５は、壁面１０側に折畳まれたようにして収納されている。（ｂ）の状態では、（ａ）のような立設状態のキッチンシンク用水切り篭Ａを横方向に倒した状態でテーブル１３の上に載置しておく。その後、把手９を持ってスライドレール６の係止溝１２を介して、係止具７をシンク４の上面側にスライドさせる。さらに、（ｃ）に示したように把手９を前方へ引出しながらが取付けられ、この把手９によって、シンク４の凸段部１４に挿着する。この把手９により、水切り篭３の持ち上げ移動が簡便であり、しかもこの把手９の部分をシンク４の凸段部１４に挿着することで位置決めが容易である。設置後は、左右に移動することもないので食器等の水洗作業が簡便となる。
【００４０】
図１０（ａ）、（ｂ）、（ｃ）は、キッチンシンク用水切り篭Ａの利用状態を示す平面図であり、図１１（ａ）、（ｂ）、（ｃ）は、図１０の各々の右側断面図である。
【００４１】
（ａ）は、キッチンシンク用水切り篭Ａをテーブル１３の上で外篭２内から内篭１を引出し、（ｂ）のシンク４の幅まで引き出す。そして、キッチンシンク用水切り篭Ａの内篭１の外方に設けられた把手９を持ち上げながら、（ｃ）のように、シンク４の縁部に設けられた一段下がった凸段部１４に挿着する。
【００４２】
したがって、シンク４の上でスライドレール６の係止溝１２をキッチンシンク用水切り篭の係止具をスライドさせて水平方向の位置決めを行い、その後、キッチンシンク用水切り篭Ａの内篭１又は外篭２を前方に引き出し、シンク４の縁部に設けられた一段下がった段部１４に載置するようにしているので、キッチンシンク用水切り篭Ａの取付け及び取外しが簡単且つ確実にできる。
【００４３】
【発明の効果】
上述の如く、本発明の請求項１記載のキッチンシンク用水切り篭は、スライド自在に設けられた内篭と外篭とからなる水切り篭のこの内篭又は外篭を引き出した状態で略キッチンシンク幅に設定され、この水切り篭の外篭の一端に、折り曲げ自在な帯体を固着するとともにこの帯体の先端にスライドレールに係止する係止具を固着しているので、スライド自在に設けられた内篭と外篭とからなる水切り篭により、水切り篭の前後方向を簡単にスライドして収納幅の調整ができ、しかもこの水切り篭の係止具により横方向にスライドレールを介して移動可能となり、さらにシンク上に簡単に水切り篭を載置することができ、さらに折り曲げ自在な柔軟性を有する帯体により水切り篭を縦状載置可能となる。
【００４４】
本発明の請求項２記載のキッチンシンク用水切り篭は、キッチンシンク用水切り篭が線材や網体で形成され、内篭を外篭内に収納した状態で立設する脚部を設けているので、軽量化が図れ水切り状態が良く、しかも外篭に設けた脚部により縦横に水切り篭を立設することができ省スペースが可能となり、脚部の隙間より水切りが良好となる。
【００４５】
本発明の請求項３記載のキッチンシンク用水切り篭は、帯体が防水性を有する軟質材で形成されているので、帯体の柔軟性により、キッチンシンク用水切り篭が縦横に立設することができ省スペースで収納が可能となる。
【００４６】
本発明の請求項４記載のキッチンシンク用水切り篭は、キッチンシンク用水切り篭の引き出し側となる内篭又は外篭の外方に下方から水平方向に９０度回動する把手を設けているので、９０度しか把手が回動しないので、水切り篭の持ち上げ移動が簡便である。しかもこの把手部分をシンクの凸段部に挿着することで左右に移動することもないので食器等の水洗作業が簡便となる。
【００４７】
本発明の請求項５記載のキッチンシンク用水切り篭の取付構造は、壁面近傍にシンクを有するキッチン台を配設し、このキッチン台のシンク上面より上方に位置する横方向にスライドレールを固着し、このスライドレールの係止溝に請求項１記載のキッチンシンク用水切り篭の係止具をスライド自在に係止し、このキッチンシンク用水切り篭の不使用時にはテーブル上に外篭内に内篭を収納した状態で折り曲げ自在な帯体を介して立設可能とし、使用時には内篭又は外篭を引き出した状態でシンクの縁部に設けられた一段下がった段部に載置しているので、キッチンシンク上でスライドレールの係止溝をキッチンシンク用水切り篭の係止具をスライドさせて水平方向の位置決めを行い、その後、キッチンシンク用水切り篭の内篭又は外篭を前方に引き出し、シンクの縁部に設けられた一段下がった段部に載置するようにしているので、キッチンシンク用水切り篭の取付け及び取外しが簡単且つ確実にできる。
【図面の簡単な説明】
【図１】本発明の一実施例に係わるキッチンシンク用水切り篭の要部の斜視図である。
【図２】本発明の一実施例に係わる図１のキッチンシンク用水切り篭の内篭を引き出した状態を示す要部の斜視図である。
【図３】本発明の一実施例に係わる（ａ）は、外篭の脚部に紐体を固着する前の状態を示す要部の斜視図、（ｂ）は、内篭を引き出した際に内篭の線材に倒れないように固着した要部の斜視図である。
【図４】本発明の異なる実施例に係わるキッチンシンク用水切り篭の前方向から見た縦断面図である。
【図５】本発明の異なる実施例に係わる内篭を引き出した状態を示す側面図である。
【図６】本発明のスライドレールにキッチンシンク用水切り篭の係止具を取付ける状態を示す要部の斜視図である。
【図７】図６の要部のスライドレールと係止具との取付状態を示す縦断面図である。
【図８】（ａ）、（ｂ）、（ｃ）は、本発明のキッチンシンク用水切り篭の係止具の帯体が水切り篭の収納状態でどのように撓んでいるかを示す要部の斜視図である。
【図９】（ａ）は、本発明の壁面近傍ののテーブルの上で、外篭の中に内篭を収納した状態を示し、（ｂ）は、キッチンシンク用水切り篭を倒した状態を示し、（ｃ）は、外篭から内篭を引き出した状態を示す要部の概略の側面図である。
【図１０】（ａ）は、本発明の壁面近傍のキッチン台のテーブルの上で、外篭の中に内篭を収納した状態を示し、（ｂ）は、外篭の中の内篭を引き出した状態を示し、（ｃ）は、シンク上にキッチンシンク用水切り篭を橋架した状態を示す要部の概略の平面図である。
【図１１】（ａ）、（ｂ）、（ｃ）は、図１０の各々のＡ−Ａ側断面図である。
【図１２】従来の水切り篭の取付け状態を示す斜視図である。
【図１３】従来のキッチン台で調理プレートをシンク上でスライドした状態を示す斜視図である。
【符号の説明】
Ａ      キッチンシンク用水切り篭
１      内篭
２      外篭
３      水切り篭
４      シンク
５      帯体
６      スライドレール
７      係止具
８      脚部
９      把手
１０    壁面
１１    キッチン台
１２    係止溝
１３    テーブル
１４    段部
１６    紐体
１７    係止部
【図１】
2004194826.tif 000003
【図２】
2004194826.tif 000004
【図３】
2004194826.tif 000005
【図４】
2004194826.tif 000006
【図５】
2004194826.tif 000007
【図６】
2004194826.tif 000008
【図７】
2004194826.tif 000009
【図８】
2004194826.tif 000010
【図９】
2004194826.tif 000011
【図１０】
2004194826.tif 000012
【図１１】
2004194826.tif 000013
【図１２】
2004194826.tif 000014
【図１３】
2004194826.tif 000015